(57)【要約】【課題】ブリッジ部分に斬新な特徴を備える眼鏡フレームであって、ソフトな使用感が得られるとともに豊富なデザインを施すことができる眼鏡フレームを提供する。【解決手段】一対のレンズ６０、６０の間にブリッジ２０を備える眼鏡フレームであって、ブリッジ２０が２枚の板状部材（一方の部材２１及び他方の部材２２）を重ね合せて形成されている。一方の部材２１は一辺の中央部に凹部を備え、他方の部材２２はこれに対向する辺の中央部に凹部を備えている。両凹部を噛み合わせて交差させるとともに、両部材２１、２２を密着させて一体に形成する。【選択図】図３
2011053472.tif 000002
【特許請求の範囲】
【請求項１】
一対のレンズの間にブリッジを備える眼鏡フレームであって、
前記ブリッジが２枚の板状部材を重ね合わせてなり、一方の部材は一辺の中央部に凹部を備え、他方の部材は前記一辺と対向する辺の中央部に凹部を備え、
前記両凹部を噛み合わせて交差させるとともに、両部材を密着させて一体化したことを特徴とする眼鏡フレーム。
【請求項２】
前記板状部材の板面が使用時に略垂直となる向きに取付けられて、前記ブリッジを形成していることを特徴とする請求項１に記載の眼鏡フレーム。
【請求項３】
前記板状部材の板面が使用時に略水平となる向きに取付けられて、前記ブリッジを形成していることを特徴とする請求項１に記載の眼鏡フレーム。
【請求項４】
前記ブリッジの前記板面を見たときに、手前側に位置する部材の一部に切欠部が設けられ、該切欠部を通して後方側に位置する部材の一部が見えることを特徴とする請求項１乃至３の何れかに記載の眼鏡フレーム。
【発明の詳細な説明】
【技術分野】
【０００１】
本発明は眼鏡フレームに関し、特に、そのブリッジを改良することにより、十分な強度と柔軟性を備えてソフトな使用感を得ることができるとともに、豊富なデザインを施すことができる眼鏡フレームに関する。
【背景技術】
【０００２】
一般的な眼鏡フレームは、一対のレンズの間にブリッジを備えている。例えば、フロント部に環状のリムを備えるフルリムタイプや、半環状のリムを備えるハーフリムタイプの眼鏡フレームにあっては、左右のリムを連結するブリッジが用いられる。また、リムを備えないツーポイントの眼鏡フレームにあっては、左右のレンズの間にブリッジが直接取付けられる。
【０００３】
眼鏡フレームのブリッジは比較的小さな部品であるために、従来は、デザインの対象とされることが少なく、その断面形状に多少の変化を持たせる程度である。すなわち、従来のブリッジは、略矩形の断面や略楕円形の断面が多く用いられ、時には長さ方向に対して断面が変化するようなデザインも行われているが、その種類は限られている。
【０００４】
また、ブリッジは改良の対象とされることも少ないが、特許文献１には、ハーフリムの眼鏡フレームにおけるブリッジに関する発明が記載されている。そして、従来のブリッジが溶接によってリムに取付けられるために、生産効率が悪く作業者の経験と勘を必要としている、という問題点を解決している。
【０００５】
図１０に示すように、特許文献１に記載された眼鏡フレーム１１０は、中央にブリッジ部１４１を備える上枠部１３１と中央にブリッジ部１４２を備える下枠部１３２とを備えるハーフリムタイプの眼鏡である。そして、断面がコ字状をなす連結部材１９０の中に、両ブリッジ部１４１、１４２を積層した状態で嵌め込むことにより、上枠部１３１と下枠部１３２とを一体に固定するものである。また、連結部材１９０には、ねじ１９１によって、一対のノーズパッド１９２も取付けられている。
【０００６】
このような構成とすることによって眼鏡フレーム１１０は、ブリッジ部１４１、１４２における溶接を必要とすることなく組み立てることができる。したがって、熟練した作業者を必要とせず、生産効率を高めることが可能である。また、眼鏡フレーム１１０のデザインとして、連結部材１９０に装飾を施すことも考えられる。
【０００７】
しかしながら、眼鏡フレーム１１０は連結部材１９０における剛性が高くなり、柔軟性に欠けることになり易く、ソフトな使用感を得ることが困難である。また、連結部材１９０に装飾を施すことも従来の一般的なデザインの延長となり、斬新なデザインとすることはできない。
【先行技術文献】
【特許文献】
【０００８】
【特許文献１】特開２００２−１０７６７５号公報
【発明の概要】
【発明が解決しようとする課題】
【０００９】
この発明が解決しようとする課題は、一対のレンズの間にブリッジを備える眼鏡フレームであって、そのブリッジ部分に斬新な特徴を持たせ、十分な強度とソフトな使用感を備えるとともに豊富なデザインを施すことができる眼鏡フレームを提供することである。
【課題を解決するための手段】
【００１０】
本発明の請求項１に係る眼鏡フレームは、一対のレンズの間にブリッジを備える眼鏡フレームであって、前記ブリッジが２枚の板状部材を重ね合わせてなり、一方の部材は一辺の中央部に凹部を備え、他方の部材は前記一辺と対向する辺の中央部に凹部を備え、前記両凹部を噛み合わせて交差させるとともに、両部材を密着させて一体化した手段を採用している。
【００１１】
また、本発明の請求項２に係る眼鏡フレームは、請求項１に記載の眼鏡フレームであって、前記板状部材の板面が使用時に略垂直となる向きに取付けられて、前記ブリッジを形成している手段を採用している。また、本発明の請求項３に係る眼鏡フレームは、請求項１に記載の眼鏡フレームであって、前記板状部材の板面が使用時に略水平となる向きに取付けられて、前記ブリッジを形成している手段を採用している。さらに、本発明の請求項４に係る眼鏡フレームは、請求項１乃至３の何れかに記載の眼鏡フレームであって、前記ブリッジの前記板面を見たときに、手前側に位置する部材の一部に切欠部が設けられ、該切欠部を通して後方側に位置する部材の一部が見える手段を採用している。
【発明の効果】
【００１２】
本発明の眼鏡フレームは、ブリッジ部分に上記の手段を採用したことによって、十分な強度を備えるとともに、使用者にソフトな使用感を与える柔軟性を備えることが可能であり、また、豊富なデザインを施すことができる。
【図面の簡単な説明】
【００１３】
【図１】本発明の眼鏡フレームの一例を示す概略斜視図である。
【図２】図１の眼鏡フレームのブリッジ部分を拡大した概略平面図である。
【図３】図１の眼鏡フレームのブリッジ部分を拡大した概略正面図である。
【図４】図１の眼鏡フレームで使用するブリッジの構成部材であって、組立て前の状態を示す概略斜視図である。
【図５】本発明の眼鏡フレームの他の例を示す正面図である。
【図６】図５の眼鏡フレームのブリッジ部分を拡大した概略平面図である。
【図７】図５の眼鏡フレームのブリッジ部分を拡大した概略正面図である。
【図８】図５の眼鏡フレームで使用するブリッジの構成部材であって、組立て前の状態を示す概略平面図である。
【図９】本発明の眼鏡フレームで使用するブリッジのデザインを例示した説明図であって、（１）（２）（３）の３つの例を示している。
【図１０】従来の眼鏡フレームの一例を示す概略斜視図である。
【発明を実施するための形態】
【００１４】
図１には、本発明の実施形態の一例である眼鏡フレーム１０を金属製のフルリムタイプで示している。眼鏡フレーム１０は、フロント部に一対のレンズ６０、６０を保持するリム３０、３０を備え、中央のブリッジ２０によって両リム３０、３０が一体に固定されている。
【００１５】
両リム３０、３０の外側には、ヨロイ３１、３１が設けられ、蝶番３２、３２を介してテンプル５０、５０が回動自在に連結されている。また、テンプル５０、５０の端部にはモダン５１、５１が取付けられている。本発明の眼鏡フレーム１０は、ブリッジ２０部分に特徴を備えるものであり、その他の部分は従来知られた技術を用いることができる。
【００１６】
図２は、眼鏡フレーム１０のブリッジ部分を拡大した平面図である。図３は、眼鏡フレーム１０のブリッジ部分を拡大した正面図である。本発明の眼鏡フレーム１０において、ブリッジ２０は、２枚の板状部材（一方の部材２１及び他方の部材２２）を重ね合わせてなるものであり、リム３０に溶接によって取付けられている。
【００１７】
図４は、一体化される前の状態での、一方の部材２１と他方の部材２２を示している。一方の部材２１は、対向する二つの辺８１、８２を備え、辺８２の中央部に凹部２３を備えている。他方の部材２２は、対向する二つの辺８１、８２を備え、辺８１の中央部に凹部２４を備えている。すなわち、両部材２１、２２は、夫々中央部に凹部２３、２４を備え、両凹部２３、２４は互いに対向する辺８１、８２に設けられている。両凹部２３、２４の形状は、ここでは矩形状に形成されている。
【００１８】
そして、一方の部材２１の凹部２３と他方の部材２２の凹部２４とを噛み合わせて交差させるとともに、一方の部材２１と他方の部材２２とを互いに密着させて一体化することにより、ブリッジ２０を形成することができる。眼鏡フレーム１０では、両部材２１、２２の両端部の４点がリム３０、３０に溶接され、両部材２１、２２の板面８３が使用時に略垂直となる向きに取付けられて、ブリッジ２０が形成されている。
【００１９】
両部材２１、２２は、密着して一体化するように、予め折り曲げ加工を施しておくことが好ましい。ここにおいて「密着」とは、実際に隙間なく接触している場合の他、多少の隙間を隔てて近接している場合も含むこととする。どちらの場合も実用的であるからである。次に、本発明の他の実施形態を示す。
【００２０】
図５は、本発明の他の一例である眼鏡フレーム１１を金属製のハーフリムタイプで示している。眼鏡フレーム１１は、フロント部に一対のレンズ６０、６０を保持するリム３０、３０を備え、中央のブリッジ２０によって両リム３０、３０が一体に固定されている。両リム３０、３０の外側にはヨロイ３１、３１が設けられ、蝶番を介してテンプルが取付けられる。
【００２１】
図６は、眼鏡フレーム１１のブリッジ部分を拡大した平面図である。図７は、眼鏡フレーム１１のブリッジ部分を拡大した正面図である。本発明の眼鏡フレーム１１において、ブリッジ２０は、２枚の板状部材（一方の部材２１及び他方の部材２２）を重ね合わせてなるものであり、リム３０に溶接によって取付けられている。
【００２２】
図８は、一体化される前の状態での、一方の部材２１と他方の部材２２を示している。一方の部材２１は、対向する二つの辺８１、８２を備え、辺８２の中央部に凹部２３を備えている。そして、他方の部材２２は、対向する二つの辺８１、８２を備え、辺８１の中央部に凹部２４を備えている。すなわち、両部材２１、２２は、夫々中央部に凹部２３、２４を備え、両凹部２３、２４は互いに対向する辺８１、８２に設けられている。なお、両凹部２３、２４の形状は、ここでは矩形状に形成されている。
【００２３】
そして、一方の部材２１の凹部２３と他方の部材２２の凹部２４とを噛み合わせて交差させるとともに、一方の部材２１と他方の部材２２とを互いに密着させて一体化することにより、ブリッジ２０を形成することができる。眼鏡フレーム１１では、両部材２１、２２の両端部の４点がリム３０、３０に溶接され、両部材２１、２２の板面８３が使用時に略水平となる向きに取付けられて、ブリッジ２０が形成されている。
【００２４】
このようにして形成される本発明のブリッジ２０は、２枚の板状部材を重ね合わせてなり、従来のものと類似の形態とすることができる。そして、従来のものと同様に十分な強度を持たせることができる。しかし、２枚の板が中央で交差して前後の位置が入れ替わっていることが特徴的である。また、２枚の板状部材２１、２２の両端部をリム３０、３０に対して４点で溶接している。このような構造とすることにより従来にない柔軟性が得られ、捩れなどの外力に対しても柔軟に変形して対応し、使用者にソフトな使用感を与えることができる。さらに、斬新なデザインを豊富に施すことができる。
【００２５】
図９は、ブリッジ２０について、３つのデザイン例を模式的に示している。各例において、左側が組立て前の両部材２１、２２を示し、右側が組立て後のブリッジ２０を示している。また、両部材２１、２２を明瞭に区別して示すために、一方の部材２１を白色で、他方の部材２２を灰色で示している。実際の製作においても、材質を変えたり、着色を施したりすることにより、両部材２１、２２が識別されるデザインとすることが好ましい。
【００２６】
図９（１）は最も基本的なデザインを示している。すなわち、一方の部材２１は下辺の中央部に下向きの凹部２３を備え、他方の部材２２は上辺の中央部に上向きの凹部２４を備えている。そして、一方の部材２１と他方の部材２２とは、略同一形状に形成されている。
【００２７】
両凹部２３、２４を噛み合わせて交差させるとともに、両部材２１、２２を密着させて一体化することにより、右側に示すブリッジ２０となる。これにより、ブリッジ２０を前方から見たときに、左半部には一方の部材２１が、右半部には他方の部材２２が見えることになる。そして、両部材２１、２２によって左右がシンプルに、対称的に区別されたデザインとすることができる。
【００２８】
図９（２）は図９（１）から少し変化したデザインを示している。すなわち、一方の部材２１には、左の上辺を少し削るように切欠部９１が設けられ、他方の部材２２には、右の下辺を少し削るように切欠部９２が設けられている。そして、一方の部材２１と他方の部材２２は、略同一形状に形成されている。
【００２９】
この場合も、両凹部２３、２４を噛み合わせて交差させるとともに、両部材２１、２２を密着させて一体化することにより、右側に示すブリッジ２０となる。両部材２１、２２には切欠部９１、９２が設けられているので、ブリッジ２０を前方から見たときに、切欠部９１、９２を通して後方の側に位置する部材の一部が見えることになる。
【００３０】
すなわち、ブリッジ２０を前方から見たときに、一方の部材２１の切欠部９１は前方の側に位置しているので、切欠部９１を通して後方の側に位置する他方の部材２２の一部を見ることができる。また、他方の部材２２の切欠部９２も前方の側に位置しているので、切欠部９２を通して後方の側に位置する一方の部材２１の一部を見ることができる。
【００３１】
「切欠部」は、前方に位置する部材の一部に、後方に位置する部材が見えるような場所を形成することを意味している。前述の眼鏡フレーム１１において、図６に示すように、左半部においては一方の部材２１が前方の側に位置しているが、上部に少しだけ他方の部材２２が見えるようになっている。右半部では、他方の部材２２が前方に位置しているが、上部に少しだけ一方の部材２１が見えるようになっている。
【００３２】
図９（３）も図９（１）から少し変化したデザインを示している。すなわち、一方の部材２１には、左辺の中央部に切欠部９３が設けられ、他方の部材２２には、右辺の中央部に切欠部９４が設けられている。そして、一方の部材２１と他方の部材２２は、略同一形状に形成されている。
【００３３】
この場合も、両凹部２３、２４を噛み合わせて交差させるとともに、両部材２１、２２を密着させて一体化することにより、右側に示すブリッジ２０となる。両部材２１、２２には切欠部９３、９４が設けられているので、ブリッジ２０を前方から見たときに、切欠部９３、９４を通して後方の側に位置する部材の一部が見えることになる。
【００３４】
すなわち、ブリッジ２０を前方から見たときに、一方の部材２１の切欠部９３は前方の側に位置しているので、切欠部９３を通して後方の側に位置する他方の部材２２の一部を見ることができる。また、他方の部材２２の切欠部９４も前方の側に位置しているので、切欠部９４を通して後方の側に位置する一方の部材２１の一部を見ることができる。
【００３５】
なお、本発明の例として、金属性フルリムタイプの眼鏡フレーム１０及びハーフリムタイプの眼鏡フレーム１１を示したが、本発明は、多少形態を変えることによりツーポイントの眼鏡フレームにも適用することができるものである。
また、眼鏡フレーム１０、１１は金属製としたが、本発明はブリッジを含めて樹脂製とすることもできる。そして、リムに対するブリッジの取付け方法についても、材質の相違により融着や接着とすることができる。
また、眼鏡フレーム１０、１１では、凹部２３、２４の形状を矩形としているが、これを半円形や半楕円形などとすることも可能である。凹部及び切欠部について、様々な形状を選定することにより豊富なデザインを得ることができる。
【符号の説明】
【００３６】
１０、１１、１１０    眼鏡フレーム
２０    ブリッジ
２１    一方の部材
２２    他方の部材
２３、２４    凹部
３０    リム
３１    ヨロイ
３２    蝶番
５０    テンプル
５１    モダン
６０    レンズ
８１、８２    辺
８３    板面
９１、９２、９３、９４    切欠部
１３１    上枠部
１３２    下枠部
１４１、１４２    ブリッジ部
１９０    連結部材
１９１    ねじ
１９２    ノーズパッド
【図１】
2011053472.tif 000003
【図２】
2011053472.tif 000004
【図３】
2011053472.tif 000005
【図４】
2011053472.tif 000006
【図５】
2011053472.tif 000007
【図６】
2011053472.tif 000008
【図７】
2011053472.tif 000009
【図８】
2011053472.tif 000010
【図１０】
2011053472.tif 000011
【図９】
2011053472.tif 000012